(57)【要約】【課題】  波長分割多重伝送システムにおいて、複数の光信号のいずれかに障害が発生したときにも、データを消失することなくデータ伝送を維持する。【解決手段】    波長分割多重伝送システムは、ｎ個（ｎは２以上の整数）のクライアント装置と、プロテクション部と、（ｎ＋１）個の波長変換装置と、波長分割多重部とを有している。プロテクション部は、パリティ生成器および復号器を有している。パリティ生成器は、ｎ個のクライアント装置から受けたデータ信号を用いてパリティ信号を生成し、生成したパリティ信号およびｎ個のクライアント装置から受けたデータ信号を（ｎ＋１）個の波長変換装置に送信する。復号器は、パリティ信号およびｎ個のクライアント装置に伝送されるデータ信号を（ｎ＋１）個の波長変換装置から受け、データ信号の１つに障害が発生したとき、障害が発生したデータ信号をパリティ信号を用いて復号する。【選択図】    図１
2012023678.tif 000002
【特許請求の範囲】
【請求項１】
データ信号を光信号として送信し、光信号として伝送されたデータ信号を受けるｎ個（ｎは２以上の整数）のクライアント装置と、
前記ｎ個のクライアント装置との間で信号の送受信を実施するプロテクション部と、
前記プロテクション部との間で信号の送受信を実施し、前記プロテクション部から受けた複数の信号を互いに異なる波長の光信号に変換する（ｎ＋１）個の波長変換装置と、
前記（ｎ＋１）個の波長変換装置から受けた波長の異なる複数の光信号を波長多重して対向装置に伝送し、対向装置から受けた波長多重された光信号を波長毎に分離して前記（ｎ＋１）個の波長変換装置に送信する波長分割多重部とを備え、
前記プロテクション部は、
前記ｎ個のクライアント装置から受けたデータ信号を用いてパリティ信号を生成し、生成したパリティ信号および前記ｎ個のクライアント装置から受けたデータ信号を前記（ｎ＋１）個の波長変換装置に送信するパリティ生成器と、
パリティ信号および前記ｎ個のクライアント装置に伝送されるデータ信号を対向装置から前記波長分割多重部および前記（ｎ＋１）個の波長変換装置を介して受け、データ信号を光信号として前記ｎ個のクライアント装置に伝送し、前記ｎ個のクライアント装置に伝送するデータ信号の１つに障害が発生したとき、障害が発生したデータ信号をパリティ信号を用いて復号する復号器とを備えていることを特徴とする波長分割多重伝送システム。
【請求項２】
請求項１記載の波長分割多重伝送システムにおいて、
前記パリティ生成器は、前記ｎ個のクライアント装置から受けたデータ信号を一時的に記憶する第１バッファ部を備え、
前記復号器は、前記（ｎ＋１）個の波長変換装置から受けたパリティ信号およびデータ信号を一時的に記憶する第２バッファ部を備えていることを特徴とする波長分割多重伝送システム。
【請求項３】
請求項１記載の波長分割多重伝送システムにおいて、
前記復号器は、前記（ｎ＋１）個の波長変換装置から受けたパリティ信号およびデータ信号のエラーを検出するエラー検出器を備えていることを特徴とする波長分割多重伝送システム。
【請求項４】
データ信号を光信号として送信し、光信号として伝送されたデータ信号を受けるｎ個（ｎは２以上の整数）のクライアント装置と、
前記ｎ個のクライアント装置との間で信号の送受信を実施するプロテクション部と、
前記プロテクション部との間で信号の送受信を実施し、前記プロテクション部から受けた複数の信号を互いに異なる波長の光信号に変換する（ｎ＋２）個の波長変換装置と、
前記（ｎ＋２）個の波長変換装置から受けた波長の異なる複数の光信号を波長多重して対向装置に伝送し、対向装置から受けた波長多重された光信号を波長毎に分離して前記（ｎ＋２）個の波長変換装置に送信する波長分割多重部とを備え、
前記プロテクション部は、
前記ｎ個のクライアント装置から受けたデータ信号を用いて２種類のパリティ信号を生成し、生成した２種類のパリティ信号および前記ｎ個のクライアント装置から受けたデータ信号を前記（ｎ＋２）個の波長変換装置に送信するパリティ生成器と、
２種類のパリティ信号および前記ｎ個のクライアント装置に伝送されるデータ信号を対向装置から前記波長分割多重部および前記（ｎ＋２）個の波長変換装置を介して受け、データ信号を光信号として前記ｎ個のクライアント装置に伝送し、前記ｎ個のクライアント装置に伝送するデータ信号の１つあるいは２つに障害が発生したとき、障害が発生したデータ信号をパリティ信号を用いて復号する復号器とを備えていることを特徴とする波長分割多重伝送システム。
【請求項５】
請求項４記載の波長分割多重伝送システムにおいて、
前記パリティ生成器は、前記ｎ個のクライアント装置から受けたデータ信号を一時的に記憶する第１バッファ部を備え、
前記復号器は、前記（ｎ＋２）個の波長変換装置から受けたパリティ信号およびデータ信号を一時的に記憶する第２バッファ部を備えていることを特徴とする波長分割多重伝送システム。
【請求項６】
請求項４記載の波長分割多重伝送システムにおいて、
前記復号器は、前記（ｎ＋２）個の波長変換装置から受けたパリティ信号およびデータ信号のエラーを検出するエラー検出器を備えていることを特徴とする波長分割多重伝送システム。
【請求項７】
波長分割多重伝送により光信号を伝送する波長分割多重伝送システムに用いられるプロテクション装置であって、
ｎ個（ｎは２以上の整数）のクライアント装置から受けたデータ信号を用いてパリティ信号を生成し、生成したパリティ信号をｎ個のデータ信号とともに送信するパリティ生成器と、
パリティ信号を前記ｎ個のクライアント装置に伝送されるデータ信号とともに受け、前記ｎ個のクライアント装置に伝送するデータ信号の１つに障害が発生したとき、障害が発生したデータ信号をパリティ信号を用いて復号する復号器とを備えていることを特徴とするプロテクション装置。
【請求項８】
波長分割多重伝送により光信号を伝送する波長分割多重伝送システムに用いられるプロテクション装置であって、
ｎ個（ｎは２以上の整数）のクライアント装置から受けたデータ信号を用いて２種類のパリティ信号を生成し、生成した２種類のパリティ信号をｎ個のデータ信号とともに送信するパリティ生成器と、
２種類のパリティ信号を前記ｎ個のクライアント装置に伝送されるデータ信号とともに受け、前記ｎ個のクライアント装置に伝送するデータ信号の１つあるいは２つに障害が発生したとき、障害が発生したデータ信号をパリティ信号を用いて復号する復号器とを備えていることを特徴とするプロテクション装置。
【発明の詳細な説明】
【技術分野】
【０００１】
本発明は、波長分割多重伝送システムおよびプロテクション装置に関する。
【背景技術】
【０００２】
近年、インターネットの普及に伴い、波長分割多重（ＷＤＭ：Wavelength Division Multiplexing）伝送方式を用いた波長分割多重伝送システム（以下、ＷＤＭ伝送システムとも称する）が普及している。ＷＤＭ伝送システムでは、波長の異なる複数の光信号を波長多重して伝送することにより、大容量のデータ伝送を可能にする。なお、１つの波長の光信号で伝送するデータ量は、データ伝送の大容量化に伴い増加する傾向にある。このため、１つの波長の光信号に障害が発生したときに、大量のデータが損傷し、伝送品質が低下する。したがって、光信号の障害に対する対策を施すことが必要である。
【０００３】
一般に、ＷＤＭ伝送システムでは、装置を冗長構成にすることにより、伝送品質を維持している。例えば、冗長構成のＷＤＭ伝送システムは、運用中の装置に障害が発生した場合、予備の装置に切り替えて運用することにより、データ伝送を再開する。これにより、伝送品質は維持される。なお、予備の装置は、例えば、波長多重により伝送される光信号の波長毎に個別に設けられる。そして、予備の装置の各々は、対応する通常の装置で処理する光信号の波長と同じ波長の光信号を処理する。しかしながら、光信号の波長毎に予備の装置を設ける構成では、予備の装置の数が増加し、コストが増加する。
【０００４】
なお、通常の装置と予備の装置とで互いに異なる波長の光信号を処理するＷＤＭ伝送システムが提案されている（例えば、特許文献１）。例えば、障害が発生した装置の代わりに運用される予備の装置は、障害が発生した装置にかかわらず、予め決められた波長の光信号を処理する。この場合、光信号の波長毎に個別に予備の装置を設ける必要がない。
【先行技術文献】
【特許文献】
【０００５】
【特許文献１】特開平１０−２１０００８号公報
【発明の概要】
【発明が解決しようとする課題】
【０００６】
通常の装置と予備の装置とを切り替えて運用する構成では、装置に障害が発生してから予備の装置に切り替えて運用するまでの切り替え期間が必要である。例えば、切り替え期間では、障害のある装置で伝送する光信号のデータは、消失する。あるいは、切り替え期間では、障害のある装置に対応する光信号の伝送サービスは、停止する。
【０００７】
本発明の目的は、波長の異なる複数の光信号を波長多重して伝送する波長分割多重伝送システムにおいて、複数の光信号のいずれかに障害が発生したときにも、データを消失することなくデータ伝送を維持することである。
【課題を解決するための手段】
【０００８】
波長分割多重伝送システムは、ｎ個（ｎは２以上の整数）のクライアント装置と、ｎ個のクライアント装置との間で信号の送受信を実施するプロテクション部と、プロテクション部との間で信号の送受信を実施する（ｎ＋１）個の波長変換装置と、波長分割多重部とを有している。ｎ個のクライアント装置は、データ信号を光信号として送信し、光信号として伝送されたデータ信号を受ける。（ｎ＋１）個の波長変換装置は、プロテクション部から受けた複数の信号を互いに異なる波長の光信号に変換する。波長分割多重部は、（ｎ＋１）個の波長変換装置から受けた波長の異なる複数の光信号を波長多重して対向装置に伝送する。また、波長分割多重部は、対向装置から受けた波長多重された光信号を波長毎に分離して（ｎ＋１）個の波長変換装置に送信する。
【０００９】
プロテクション部は、パリティ生成器および復号器を有している。パリティ生成器は、ｎ個のクライアント装置から受けたデータ信号を用いてパリティ信号を生成し、生成したパリティ信号およびｎ個のクライアント装置から受けたデータ信号を（ｎ＋１）個の波長変換装置に送信する。復号器は、パリティ信号およびｎ個のクライアント装置に伝送されるデータ信号を対向装置から波長分割多重部および（ｎ＋１）個の波長変換装置を介して受け、データ信号を光信号としてｎ個のクライアント装置に伝送する。さらに、復号器は、ｎ個のクライアント装置に伝送するデータ信号の１つに障害が発生したとき、障害が発生したデータ信号をパリティ信号を用いて復号する。
【発明の効果】
【００１０】
本発明では、波長の異なる複数の光信号を波長多重して伝送する波長分割多重伝送システムにおいて、複数の光信号のいずれかに障害が発生したときにも、データを消失することなくデータ伝送を維持できる。
【図面の簡単な説明】
【００１１】
【図１】一実施形態における波長分割多重伝送システムの概要を示す図である。
【図２】別の実施形態における波長分割多重伝送システムの概要を示す図である。
【図３】別の実施形態における波長分割多重伝送システムの概要を示す図である。
【図４】別の実施形態における波長分割多重伝送システムの概要を示す図である。
【発明を実施するための形態】
【００１２】
以下、本発明の実施形態を図面を用いて説明する。
【００１３】
図１は、本発明の一実施形態を示している。この実施形態では、波長分割多重伝送システムＳＹＳは、波長分割多重（ＷＤＭ：Wavelength Division Multiplexing）伝送方式を用いて、光信号を送受信する。以下、波長分割多重伝送システムＳＹＳをＷＤＭ伝送システムＳＹＳとも称する。例えば、ＷＤＭ伝送システムＳＹＳは、光ファイバ等のＷＤＭ伝送路を介して接続された対向装置に、波長の異なる複数の光信号を波長多重して伝送する。対向装置の構成は、例えば、ＷＤＭ伝送システムＳＹＳと同じである。
【００１４】
図中のデータ信号ＵＳは、クライアント装置ＣＬから波長分割多重部ＷＤＭＵに向かう方向（以下、上り方向とも称する）の光信号を示している。すなわち、データ信号ＵＳは、ＷＤＭ伝送システムＳＹＳから対向装置に送信される光信号である。また、データ信号ＤＳは、波長分割多重部ＷＤＭＵからクライアント装置ＣＬに向かう方向（以下、下り方向とも称する）の光信号を示している。すなわち、データ信号ＤＳは、対向装置からＷＤＭ伝送システムＳＹＳに送信される光信号である。
【００１５】
なお、データ信号ＵＳ、ＤＳの末尾の数字は、クライアント装置ＣＬの符号の末尾の数字に対応している。例えば、データ信号ＵＳ１は、クライアント装置ＣＬ１から送信された光信号であり、データ信号ＤＳ１は、クライアント装置ＣＬ１で受ける光信号である。以下、データ信号ＵＳ、ＤＳを光信号ＵＳ、ＤＳともそれぞれ称する。また、以下の説明では、 パリティ信号ＵＰＨ、ＤＰＨを光信号ＵＰＨ、ＤＰＨともそれぞれ称する。
【００１６】
ＷＤＭ伝送システムＳＹＳは、複数のクライアント装置ＣＬ（ＣＬ１、ＣＬ２、ＣＬ３、ＣＬ４）と、プロテクション部ＰＲＴ１０と、複数の波長変換装置ＴＰ（ＴＰ１、ＴＰ２、ＴＰ３、ＴＰ４、ＴＰ５）と、波長分割多重部ＷＤＭＵとを有している。この実施形態では、波長変換装置ＴＰの数は、クライアント装置ＣＬの数をｎ個（この例では、ｎ＝４）とするとき、（ｎ＋１）個である。なお、ｎは２以上の整数であればよい。以下、ｎ＝４であるものとして説明する。
【００１７】
各クライアント装置ＣＬは、例えば、プロテクション部ＰＲＴ１０に伝送路を介して接続されている。プロテクション部ＰＲＴ１０は、例えば、上り方向のデータ信号ＵＳを処理するパリティ生成器ＰＧ１０と、下り方向のデータ信号ＤＳを処理する復号器ＤＥＣ１０とを有している。例えば、パリティ生成器ＰＧ１０は、各クライアント装置ＣＬおよび各波長変換装置ＴＰに伝送路を介してそれぞれ接続されている。また、復号器ＤＥＣ１０は、各クライアント装置ＣＬおよび各波長変換装置ＴＰに伝送路を介してそれぞれ接続されている。各波長変換装置ＴＰは、波長分割多重部ＷＤＭＵに伝送路を介して接続されている。波長分割多重部ＷＤＭＵは、例えば、対向装置の波長分割多重部にＷＤＭ伝送路を介して接続されている。
【００１８】
先ず、上り方向のデータ信号ＵＳを処理するときのクライアント装置ＣＬ、プロテクション部ＰＲＴ１０、波長変換装置ＴＰおよび波長分割多重部ＷＤＭＵの動作を説明する。
【００１９】
クライアント装置ＣＬ１、ＣＬ２、ＣＬ３、ＣＬ４は、データ信号ＵＳ１、ＵＳ２、ＵＳ３、ＵＳ４を光信号としてプロテクション部ＰＲＴ１０のパリティ生成器ＰＧ１０に送信する。
【００２０】
プロテクション部ＰＲＴ１０のパリティ生成器ＰＧ１０は、クライアント装置ＣＬ１、ＣＬ２、ＣＬ３、ＣＬ４からデータ信号ＵＳ１、ＵＳ２、ＵＳ３、ＵＳ４をそれぞれ受け、データ信号ＵＳ１、ＵＳ２、ＵＳ３、ＵＳ４を用いてパリティ信号ＵＰＨを生成する。例えば、パリティ生成器ＰＧ１０は、データ信号ＵＳ１、ＵＳ２、ＵＳ３、ＵＳ４の排他的論理和を演算することにより、パリティ信号ＵＰＨを生成する。そして、パリティ生成器ＰＧ１０は、データ信号ＵＳ１、ＵＳ２、ＵＳ３、ＵＳ４およびパリティ信号ＵＰＨを波長変換装置ＴＰ１、ＴＰ２、ＴＰ３、ＴＰ４、ＴＰ５にそれぞれ送信する。
【００２１】
なお、データ信号ＵＳ１、ＵＳ２、ＵＳ３、ＵＳ４の排他的論理和により生成されたパリティ信号ＵＰＨは、式（１）で表される。
【００２２】
ＵＰＨ＝ＵＳ１＾ＵＳ２＾ＵＳ３＾ＵＳ４  ・・・（１）
式（１）の  記号”＾”は、排他的論理和の演算記号を示している。また、式（１）の変数ＵＳ１、ＵＳ２、ＵＳ３、ＵＳ４には、データ信号ＵＳ１、ＵＳ２、ＵＳ３、ＵＳ４の信号値がそれぞれ代入される。以下の式では、排他的論理和の演算記号として記号”＾”を使用し、各光信号ＵＳ、ＵＰＨ、ＤＳ、ＤＰＨの信号値が代入される変数を各光信号の符号と同じ符号で示している。
【００２３】
波長変換装置ＴＰ１、ＴＰ２、ＴＰ３、ＴＰ４、ＴＰ５は、光信号ＵＳ１、ＵＳ２、ＵＳ３、ＵＳ４、ＵＰＨをパリティ生成器ＰＧ１０からそれぞれ受ける。そして、波長変換装置ＴＰ１、ＴＰ２、ＴＰ３、ＴＰ４、ＴＰ５は、光信号ＵＳ１、ＵＳ２、ＵＳ３、ＵＳ４、ＵＰＨの波長を、ＷＤＭ伝送に適した波長にそれぞれ変換する。例えば、光信号ＵＳ１、ＵＳ２、ＵＳ３、ＵＳ４、ＵＰＨの波長は、互いに異なる波長に変換される。そして、波長変換装置ＴＰ１、ＴＰ２、ＴＰ３、ＴＰ４、ＴＰ５は、ＷＤＭ伝送に適した波長に変換した光信号ＵＳ１、ＵＳ２、ＵＳ３、ＵＳ４、ＵＰＨを、波長分割多重部ＷＤＭＵに送信する。
【００２４】
波長分割多重部ＷＤＭＵは、波長変換装置ＴＰ１、ＴＰ２、ＴＰ３、ＴＰ４、ＴＰ５から受けた波長の異なる光信号ＵＳ１、ＵＳ２、ＵＳ３、ＵＳ４、ＵＰＨを波長多重する。そして、波長分割多重部ＷＤＭＵは、波長多重した光信号ＤＳ１、ＤＳ２、ＤＳ３、ＤＳ４、ＤＰＨを、対向装置の波長分割多重部にＷＤＭ伝送路を介して伝送する。なお、パリティ生成器ＰＧ１０で生成されたパリティ信号ＵＰＨは、例えば、対向装置の復号器で使用される。すなわち、後述する復号器ＤＥＣ１０は、対向装置のパリティ生成器で生成されたパリティ信号ＤＰＨを用いて、下り方向のデータ信号ＤＳを復号する。
【００２５】
次に、下り方向のデータ信号ＤＳを処理するときの波長分割多重部ＷＤＭＵ、波長変換装置ＴＰ、プロテクション部ＰＲＴ１０およびクライアント装置ＣＬの動作を説明する。
【００２６】
波長分割多重部ＷＤＭＵは、波長多重された光信号ＤＳ１、ＤＳ２、ＤＳ３、ＤＳ４、ＤＰＨを、対向装置の波長分割多重部からＷＤＭ伝送路を介して受ける。そして、波長分割多重部ＷＤＭＵは、波長多重された光信号ＤＳ１、ＤＳ２、ＤＳ３、ＤＳ４、ＤＰＨを波長毎に分離し、波長毎に分離した光信号ＤＳ１、ＤＳ２、ＤＳ３、ＤＳ４、ＤＰＨを波長変換装置ＴＰ１、ＴＰ２、ＴＰ３、ＴＰ４、ＴＰ５にそれぞれ送信する。
【００２７】
波長変換装置ＴＰ１、ＴＰ２、ＴＰ３、ＴＰ４、ＴＰ５は、光信号ＤＳ１、ＤＳ２、ＤＳ３、ＤＳ４、ＤＰＨを波長分割多重部ＷＤＭＵから受ける。そして、波長変換装置ＴＰ１、ＴＰ２、ＴＰ３、ＴＰ４、ＴＰ５は、例えば、光信号ＤＳ１、ＤＳ２、ＤＳ３、ＤＳ４、ＤＰＨの波長を、プロテクション部ＰＲＴ１０の復号器ＤＥＣ１０で使用する波長に変換する。例えば、光信号ＤＳ１、ＤＳ２、ＤＳ３、ＤＳ４の波長は、クライアント装置ＣＬ１、ＣＬ２、ＣＬ３、ＣＬ４で使用する波長にそれぞれ変換される。そして、波長変換装置ＴＰ１、ＴＰ２、ＴＰ３、ＴＰ４、ＴＰ５は、復号器ＤＥＣ１０で使用する波長に変換した光信号ＤＳ１、ＤＳ２、ＤＳ３、ＤＳ４、ＤＰＨを、復号器ＤＥＣ１０に送信する。
【００２８】
プロテクション部ＰＲＴ１０の復号器ＤＥＣ１０は、波長変換装置ＴＰ１、ＴＰ２、ＴＰ３、ＴＰ４、ＴＰ５からデータ信号ＤＳ１、ＤＳ２、ＤＳ３、ＤＳ４およびパリティ信号ＤＰＨをそれぞれ受ける。そして、復号器ＤＥＣ１０は、データ信号ＤＳ１、ＤＳ２、ＤＳ３、ＤＳ４を光信号としてクライアント装置ＣＬ１、ＣＬ２、ＣＬ３、ＣＬ４にそれぞれ送信する。さらに、復号器ＤＥＣ１０は、クライアント装置ＣＬ１、ＣＬ２、ＣＬ３、ＣＬ４に伝送するデータ信号ＤＳ１、ＤＳ２、ＤＳ３、ＤＳ４の１つに障害が発生したとき、障害が発生したデータ信号ＤＳをパリティ信号ＤＰＨを用いて復号する。
【００２９】
なお、パリティ信号ＤＰＨは、例えば、データ信号ＤＳ１、ＤＳ２、ＤＳ３、ＤＳ４の排他的論理和により、対向装置のパリティ生成器で生成される。データ信号ＤＳ１、ＤＳ２、ＤＳ３、ＤＳ４の排他的論理和により生成されたパリティ信号ＵＰＨは、式（２）で表される。
【００３０】
ＤＰＨ＝ＤＳ１＾ＤＳ２＾ＤＳ３＾ＤＳ４  ・・・（２）
式（２）より、各データ信号ＤＳ１、ＤＳ２、ＤＳ３、ＤＳ４は、式（３）、（４）、（５）、（６）でそれぞれ表される。
【００３１】
ＤＳ１＝ＤＳ２＾ＤＳ３＾ＤＳ４＾ＤＰＨ  ・・・（３）
ＤＳ２＝ＤＳ１＾ＤＳ３＾ＤＳ４＾ＤＰＨ  ・・・（４）
ＤＳ３＝ＤＳ１＾ＤＳ２＾ＤＳ４＾ＤＰＨ  ・・・（５）
ＤＳ４＝ＤＳ１＾ＤＳ２＾ＤＳ３＾ＤＰＨ  ・・・（６）
復号器ＤＥＣ１０は、データ信号ＤＳ１、ＤＳ２、ＤＳ３、ＤＳ４の１つに障害が発生したときにも、式（３）、（４）、（５）、（６）のいずれかを計算することにより、障害が発生したデータ信号ＤＳを復号できる。なお、復号器ＤＥＣ１０は、例えば、光信号ＤＳ１、ＤＳ２、ＤＳ３、ＤＳ４、ＤＰＨのレベルをモニタすることにより、光信号ＤＳ１、ＤＳ２、ＤＳ３、ＤＳ４、ＤＰＨに障害が発生しているか否かを判定する。
【００３２】
例えば、波長変換装置ＴＰ１が故障し、データ信号ＤＳ１に障害が発生した場合、復号器ＤＥＣ１０は、式（３）を計算することにより、データ信号ＤＳ１を復号する。そして、復号器ＤＥＣ１０は、復号したデータ信号ＤＳ１をクライアント装置ＣＬ１に送信するとともに、正常に動作している波長変換装置ＴＰ２、ＴＰ３、ＴＰ４から受けたデータ信号ＤＳ２、ＤＳ３、ＤＳ４をクライアント装置ＣＬ２、ＣＬ３、ＣＬ４にそれぞれ転送する。このように、復号器ＤＥＣ１０は、波長変換装置ＴＰ１、ＴＰ２、ＴＰ３、ＴＰ４、ＴＰ５の１つが故障したときにも、データ信号ＤＳのデータを消失することなく、正常なデータ信号ＤＳ１、ＤＳ２、ＤＳ３、ＤＳ４をクライアント装置ＣＬ１、ＣＬ２、ＣＬ３、ＣＬ４に送信できる。
【００３３】
すなわち、復号器ＤＥＣ１０は、データ信号ＤＳ１、ＤＳ２、ＤＳ３、ＤＳ４およびパリティ信号ＤＰＨの１つに障害が発生したときにも、データ信号ＤＳのデータを消失することなく、正常なデータ信号ＤＳ１、ＤＳ２、ＤＳ３、ＤＳ４をクライアント装置ＣＬ１、ＣＬ２、ＣＬ３、ＣＬ４にそれぞれ送信できる。
【００３４】
なお、パリティ信号ＤＰＨに障害が発生した場合、復号器ＤＥＣ１０は、波長変換装置ＴＰ１、ＴＰ２、ＴＰ３、ＴＰ４から受けたデータ信号ＤＳ１、ＤＳ２、ＤＳ３、ＤＳ４を復号することなく、クライアント装置ＣＬ１、ＣＬ２、ＣＬ３、ＣＬ４にそのまま転送する。
【００３５】
クライアント装置ＣＬ１、ＣＬ２、ＣＬ３、ＣＬ４は、データ信号ＤＳ１、ＤＳ２、ＤＳ３、ＤＳ４をプロテクション部ＰＲＴ１０の復号器ＤＥＣ１０から受ける。このように、この実施形態では、対向装置のパリティ生成器からＷＤＭ伝送システムＳＹＳの復号器ＤＥＣ１０に伝送された光信号ＤＳ１、ＤＳ２、ＤＳ３、ＤＳ４、ＤＰＨの１つに障害が発生したときにも、正常な光信号ＤＳ１、ＤＳ２、ＤＳ３、ＤＳ４をクライアント装置ＣＬ１、ＣＬ２、ＣＬ３、ＣＬ４に伝送できる。すなわち、この実施形態では、波長多重される複数の波長のうちの１つの波長に対応する光信号ＤＳ、ＵＳ等に障害が発生したときにも、データを消失することなくデータ伝送を維持できる。このように、プロテクション部ＰＲＴ１０は、ＷＤＭ伝送システムＳＹＳに用いられるプロテクション装置として機能する。
【００３６】
以上、この実施形態では、ＷＤＭ伝送システムＳＹＳは、ｎ個（ｎは２以上の整数）のクライアント装置ＣＬに対して、（ｎ＋１）個の波長変換装置ＴＰを有している。さらに、ＷＤＭ伝送システムＳＹＳは、パリティ生成器ＰＧ１０および復号器ＤＥＣ１０を有している。パリティ生成器ＰＧ１０は、ｎ個のクライアント装置ＣＬから受けたｎ個のデータ信号ＵＳを用いてパリティ信号ＵＰＨを生成する。また、復号器ＤＥＣ１０は、ｎ個のデータ信号ＤＳの１つに障害が発生したとき、障害が発生していないデータ信号ＤＳおよびパリティ信号ＤＰＨを用いて、障害が発生したデータ信号ＤＳを復号する。
【００３７】
これにより、この実施形態では、対向装置から伝送されたｎ個のデータ信号ＤＳの１つに障害が発生したときにも、正常なデータ信号ＤＳをクライアント装置ＣＬに伝送できる。さらに、この実施形態では、パリティ信号ＵＰＨをデータ信号ＵＳと一緒に対向装置に伝送するため、対向装置の復号器でデータ信号ＵＳを復号できる。したがって、この実施形態では、例えば、複数の波長変換装置ＴＰの１つに障害が発生したときにも、データを消失することなくデータ伝送を維持できる。すなわち、この実施形態では、波長多重される複数の波長のうちの１つの波長に障害が発生したときにも、データを消失することなくデータ伝送を維持できる。
【００３８】
図２は、別の実施形態におけるＷＤＭ伝送システムＳＹＳの概要を示している。この実施形態のＷＤＭ伝送システムＳＹＳは、図１に示したプロテクション部ＰＲＴ１０の代わりにプロテクション部ＰＲＴ１２を有している。その他の構成は、図１で説明した実施形態と同じである。上述した実施形態で説明した要素と同一の要素については、同一の符号を付し、これ等については、詳細な説明を省略する。図のパリティ生成器ＰＧ１２内の破線の矢印は、データ信号ＵＳの流れの一部を示し、図の復号器ＤＥＣ１２内の破線の矢印は、データ信号ＤＳおよびパリティ信号ＤＰＨの流れの一部を示している。なお、データ信号ＵＳ、ＤＳの末尾の数字の意味は、図１で説明した実施形態と同じである。
【００３９】
プロテクション部ＰＲＴ１２は、図１に示したパリティ生成器ＰＧ１０および復号器ＤＥＣ１０の代わりに、パリティ生成器ＰＧ１２および復号器ＤＥＣ１２を有している。プロテクション部ＰＲＴ１２のその他の構成は、図１で説明したプロテクション部ＰＲＴ１０と同じである。
【００４０】
プロテクション部ＰＲＴ１２のパリティ生成器ＰＧ１２は、クライアント装置ＣＬから受けたデータ信号ＵＳを一時的に記憶するバッファ部ＢＦＵ１０を有している。バッファ部ＢＦＵ１０は、例えば、１フレーム分のデータ量に相当する記憶容量を有している。パリティ生成器ＰＧ１２のその他の構成は、パリティ生成器ＰＧ１０と同じである。また、パリティ生成器ＰＧ１２の動作は、バッファ部ＢＦＵ１０を用いる点を除いて、パリティ生成器ＰＧ１０と同じである。
【００４１】
例えば、パリティ生成器ＰＧ１２は、バッファ部ＢＦＵ１０に記憶したデータ信号ＵＳ１、ＵＳ２、ＵＳ３、ＵＳ４を用いてパリティ信号ＵＰＨを生成する。これにより、この実施形態では、例えば、データ信号ＵＳ１、ＵＳ２、ＵＳ３、ＵＳ４の受信タイミングがずれた場合にも、正しい組み合わせのデータ信号ＵＳ１、ＵＳ２、ＵＳ３、ＵＳ４を用いてパリティ信号ＵＰＨを生成できる。
【００４２】
プロテクション部ＰＲＴ１２の復号器ＤＥＣ１２は、波長変換装置ＴＰから受けたデータ信号ＤＳおよびパリティ信号ＤＰＨを一時的に記憶するバッファ部ＢＦＵ１２と、波長変換装置ＴＰから受けたデータ信号ＤＳおよびパリティ信号ＤＰＨのエラーを検出するエラー検出器ＥＲＤ１０とを有している。復号器ＤＥＣ１２のその他の構成は、復号器ＤＥＣ１０と同じである。また、復号器ＤＥＣ１２の動作は、バッファ部ＢＦＵ１２およびエラー検出器ＥＲＤ１０を用いる点を除いて、復号器ＤＥＣ１０と同じである。
【００４３】
エラー検出器ＥＲＤ１０は、例えば、各フレームに含まれるＣＲＣ（Cyclic Redundancy Check）符号等の誤り検出符号を用いて、バッファ部ＢＦＵ１２に記憶されたデータ信号ＤＳおよびパリティ信号ＤＰＨのエラーを検出する。なお、バッファ部ＢＦＵ１２は、例えば、１フレーム分のデータ量に相当する記憶容量を有している。
【００４４】
このように、復号器ＤＥＣ１２は、バッファ部ＢＦＵ１２に記憶された光信号ＤＳ１、ＤＳ２、ＤＳ３、ＤＳ４、ＤＰＨのエラーをエラー検出器ＥＲＤ１０で検出するため、光信号ＤＳ１、ＤＳ２、ＤＳ３、ＤＳ４、ＤＰＨに障害が発生しているか否かを精度よく判定できる。そして、復号器ＤＥＣ１２は、データ信号ＤＳ１、ＤＳ２、ＤＳ３、ＤＳ４の１つにエラーが検出されたとき、式（３）、（４）、（５）、（６）のいずれかを計算することにより、エラーが検出されたデータ信号ＤＳを復号する。
【００４５】
なお、復号器ＤＥＣ１２は、バッファ部ＢＦＵ１２に記憶されたデータ信号ＤＳおよびパリティ信号ＤＰＨを用いて、エラーが検出されたデータ信号ＤＳを復号する。このため、この実施形態では、例えば、光信号ＤＳ１、ＤＳ２、ＤＳ３、ＤＳ４、ＤＰＨの受信タイミングがずれた場合にも、正しい組み合わせの光信号ＤＳ１、ＤＳ２、ＤＳ３、ＤＳ４、ＤＰＨを用いて、エラーが検出されたデータ信号ＤＳを復号できる。このように、プロテクション部ＰＲＴ１２は、ＷＤＭ伝送システムＳＹＳに用いられるプロテクション装置として機能する。
【００４６】
以上、この実施形態においても、上述した図１で説明した実施形態と同様の効果を得ることができる。さらに、この実施形態では、パリティ生成器ＰＧ１２は、バッファ部ＢＦＵ１０を有している。これにより、この実施形態では、誤った組み合わせの光信号ＵＳがパリティ生成器ＰＧ１２で使用されることを防止できる。また、復号器ＤＥＣ１２は、バッファ部ＢＦＵ１２を有している。これにより、この実施形態では、誤った組み合わせの光信号ＤＳ、ＤＰＨが復号器ＤＥＣ１２で使用されることを防止できる。さらに、復号器ＤＥＣ１２は、エラー検出器ＥＲＤ１０を有している。これにより、この実施形態では、光信号ＤＳ、ＤＰＨに障害が発生しているか否かを精度よく判定できる。
【００４７】
図３は、別の実施形態におけるＷＤＭ伝送システムＳＹＳの概要を示している。この実施形態のＷＤＭ伝送システムＳＹＳは、図１に示したプロテクション部ＰＲＴ１０の代わりにプロテクション部ＰＲＴ２０を有している。さらに、この実施形態のＷＤＭ伝送システムＳＹＳでは、図１に示したＷＤＭ伝送システムＳＹＳに波長変換装置ＴＰが１つ追加されている。その他の構成は、図１で説明した実施形態と同じである。上述した実施形態で説明した要素と同一の要素については、同一の符号を付し、これ等については、詳細な説明を省略する。なお、図中の白い星印、黒い星印、白い三角形、黒い三角形は、式（１１）、（１２）、（１３）、（１４）でそれぞれ使用されるデータ信号ＵＳおよびパリティ信号ＵＰＶを示している。以下、パリティ信号ＵＰＶ、ＤＰＶを光信号ＵＰＶ、ＤＰＶともそれぞれ称する。
【００４８】
データ信号ＵＳ、ＤＳの末尾の数字の上位の桁は、クライアント装置ＣＬの符号の末尾の数字に対応している。例えば、データ信号ＵＳ１０、ＵＳ１１、ＵＳ１２、ＵＳ１３は、クライアント装置ＣＬ１から送信された光信号であり、データ信号ＤＳ１０、ＤＳ１１、ＤＳ１２、ＤＳ１３は、クライアント装置ＣＬ１で受ける光信号である。
【００４９】
また、データ信号ＵＳ、ＤＳの末尾の数字の下位の桁およびパリティ信号ＵＰＨ、ＵＰＶ、ＤＰＨ、ＤＰＶの末尾の数字は、データ信号ＵＳ、ＤＳおよびパリティ信号ＵＰＨ、ＵＰＶ、ＤＰＨ、ＤＰＶの時系列をそれぞれ示している。例えば、データ信号ＵＳ１０、ＵＳ２０、ＵＳ３０、ＵＳ４０は、クライアント装置ＣＬ１、ＣＬ２、ＣＬ３、ＣＬ４から互いに同じタイミングで送信された光信号として処理される。また、例えば、光信号ＤＳ１０、ＤＳ２０、ＤＳ３０、ＤＳ４０、ＤＰＨ０、ＤＰＶ０は、互いに同じタイミングで復号器ＤＥＣ２０に入力される光信号として処理される。
【００５０】
ＷＤＭ伝送システムＳＹＳは、ｎ個（この例では、ｎ＝４）のクライアント装置ＣＬ（ＣＬ１、ＣＬ２、ＣＬ３、ＣＬ４）と、プロテクション部ＰＲＴ２０と、（ｎ＋２）個の波長変換装置ＴＰ（ＴＰ１、ＴＰ２、ＴＰ３、ＴＰ４、ＴＰ５、ＴＰ６）と、波長分割多重部ＷＤＭＵとを有している。このように、この実施形態では、波長変換装置ＴＰの数は、クライアント装置ＣＬの数をｎ個（この例では、ｎ＝４）とするとき、（ｎ＋２）個である。なお、ｎは２以上の整数であればよい。各クライアント装置ＣＬ、各波長変換装置ＴＰおよび波長分割多重部ＷＤＭＵの動作は、図１で説明した実施形態と同じである。
【００５１】
プロテクション部ＰＲＴ２０は、図１に示したパリティ生成器ＰＧ１０および復号器ＤＥＣ１０の代わりに、パリティ生成器ＰＧ２０および復号器ＤＥＣ２０を有している。プロテクション部ＰＲＴ２０のその他の構成は、図１で説明したプロテクション部ＰＲＴ１０と同じである。なお、パリティ生成器ＰＧ２０の動作は、２種類のパリティ信号ＵＰＨ、ＵＰＶを生成することを除いて、パリティ生成器ＰＧ１０と同じである。また、復号器ＤＥＣ２０の動作は、パリティ信号ＤＰＨ、ＤＰＶを用いてデータ信号ＤＳを復号することを除いて、復号器ＤＥＣ１０と同じである。
【００５２】
例えば、パリティ生成器ＰＧ２０は、クライアント装置ＣＬからそれぞれ受けたデータ信号ＵＳを用いて２種類のパリティ信号ＵＰＨ、ＵＰＶを生成する。例えば、パリティ信号ＵＰＨは、クライアント装置ＣＬ１、ＣＬ２、ＣＬ３、ＣＬ４から互いに同じタイミングで送信されたデータ信号ＵＳの排他的論理和を演算することにより、生成される。この場合、パリティ信号ＵＰＨ０、ＵＰＨ１、ＵＰＨ２、ＵＰＨ３は、例えば、式（７）、（８）、（９）、（１０）でそれぞれ表される。
【００５３】
ＵＰＨ０＝ＵＳ１０＾ＵＳ２０＾ＵＳ３０＾ＵＳ４０  ・・・（７）
ＵＰＨ１＝ＵＳ１１＾ＵＳ２１＾ＵＳ３１＾ＵＳ４１  ・・・（８）
ＵＰＨ２＝ＵＳ１２＾ＵＳ２２＾ＵＳ３２＾ＵＳ４２  ・・・（９）
ＵＰＨ３＝ＵＳ１３＾ＵＳ２３＾ＵＳ３３＾ＵＳ４３  ・・・（１０）
また、例えば、パリティ信号ＵＰＶは、クライアント装置ＣＬ１、ＣＬ２、ＣＬ３、ＣＬ４から互いに異なるタイミングで送信されたデータ信号ＵＳの排他的論理和を演算することにより、生成される。この場合、パリティ信号ＵＰＶ０、ＵＰＶ１、ＵＰＶ２、ＵＰＶ３は、例えば、式（１１）、（１２）、（１３）、（１４）でそれぞれ表される。なお、パリティ生成器ＰＧ２０は、例えば、パリティ信号ＵＰＶの生成に必要なデータ信号ＵＳを一時的に記憶するバッファを有している。
【００５４】
ＵＰＶ０＝ＵＳ１１＾ＵＳ２２＾ＵＳ３３＾ＵＳ４０  ・・・（１１）
ＵＰＶ１＝ＵＳ１２＾ＵＳ２３＾ＵＳ３０＾ＵＳ４１  ・・・（１２）
ＵＰＶ２＝ＵＳ１３＾ＵＳ２０＾ＵＳ３１＾ＵＳ４２  ・・・（１３）
ＵＰＶ３＝ＵＳ１０＾ＵＳ２１＾ＵＳ３２＾ＵＳ４３  ・・・（１４）
また、この実施形態では、パリティ生成器ＰＧ２０は、パリティ信号ＵＰＨ０、ＵＰＨ１、ＵＰＨ２、ＵＰＨ３を波長変換装置ＴＰに分散して送信する。このため、波長変換装置ＴＰとデータ信号ＵＳとの対応は、時系列に応じて変化する。例えば、先ず、光信号ＵＰＨ０、ＵＳ１０、ＵＳ２０、ＵＳ３０、ＵＳ４０、ＵＰＶ０が、波長変換装置ＴＰ１、ＴＰ２、ＴＰ３、ＴＰ４、ＴＰ５、ＴＰ６にそれぞれ送信される。次に、光信号ＵＳ１１、ＵＰＨ１、ＵＳ２１、ＵＳ３１、ＵＳ４１、ＵＰＶ１が、波長変換装置ＴＰ１、ＴＰ２、ＴＰ３、ＴＰ４、ＴＰ５、ＴＰ６にそれぞれ送信される。
【００５５】
そして、光信号ＵＳ１２、ＵＳ２２、ＵＰＨ２、ＵＳ３２、ＵＳ４２、ＵＰＶ２が、波長変換装置ＴＰ１、ＴＰ２、ＴＰ３、ＴＰ４、ＴＰ５、ＴＰ６にそれぞれ送信される。次に、光信号ＵＳ１３、ＵＳ２３、ＵＳ３３、ＵＰＨ３、ＵＳ４３、ＵＰＶ３が、波長変換装置ＴＰ１、ＴＰ２、ＴＰ３、ＴＰ４、ＴＰ５、ＴＰ６にそれぞれ送信される。なお、パリティ信号ＵＰＶの生成方法および光信号ＵＳ、ＵＰＨ、ＵＰＶの送信方法は、この例に限定されない。
【００５６】
復号器ＤＥＣ２０は、複数の波長変換装置ＴＰからパリティ信号ＤＰＨ、ＤＰＶおよび複数のデータ信号ＤＳをそれぞれ受ける。そして、復号器ＤＥＣ２０は、複数の波長変換装置ＴＰから受けたデータ信号ＤＳの１つあるいは２つに障害が発生しているとき、障害が発生したデータ信号ＤＳをパリティ信号ＤＰＨ、ＤＰＶを用いて復号する。なお、復号器ＤＥＣ２０は、例えば、データ信号ＤＳの復号に必要なデータ信号ＤＳおよびパリティ信号ＤＰＨ、ＤＰＶを一時的に記憶するバッファを有している。
【００５７】
ここで、パリティ信号ＤＰＨ、ＤＰＶは、例えば、パリティ信号ＵＰＨ、ＵＰＶの生成と同様の演算により、対向装置のパリティ生成器で生成される。この場合、パリティ信号ＤＰＨ０、ＤＰＨ１、ＤＰＨ２、ＤＰＨ３は、例えば、式（７）、（８）、（９）、（１０）のＵＰＨ、ＵＳをＤＰＨ、ＤＳにそれぞれ読み替えることで表される。また、パリティ信号ＤＰＶ０、ＤＰＶ１、ＤＰＶ２、ＤＰＶ３は、例えば、式（１１）、（１２）、（１３）、（１４）のＵＰＶ、ＵＳをＤＰＶ、ＤＳにそれぞれ読み替えることで表される。
【００５８】
したがって、各データ信号ＤＳは、パリティ信号ＤＰＨの信号値が代入される変数ＤＰＨを用いて、式（１５）−（３０）でそれぞれ表される。さらに、各データ信号ＤＳは、パリティ信号ＤＰＶの信号値が代入される変数ＤＰＶを用いて、式（３１）−（４６）でそれぞれ表される。
【００５９】
ＤＳ１０＝ＤＳ２０＾ＤＳ３０＾ＤＳ４０＾ＤＰＨ０  ・・・（１５）
ＤＳ２０＝ＤＳ１０＾ＤＳ３０＾ＤＳ４０＾ＤＰＨ０  ・・・（１６）
ＤＳ３０＝ＤＳ１０＾ＤＳ２０＾ＤＳ４０＾ＤＰＨ０  ・・・（１７）
ＤＳ４０＝ＤＳ１０＾ＤＳ２０＾ＤＳ３０＾ＤＰＨ０  ・・・（１８）
ＤＳ１１＝ＤＳ２１＾ＤＳ３１＾ＤＳ４１＾ＤＰＨ１  ・・・（１９）
ＤＳ２１＝ＤＳ１１＾ＤＳ３１＾ＤＳ４１＾ＤＰＨ１  ・・・（２０）
ＤＳ３１＝ＤＳ１１＾ＤＳ２１＾ＤＳ４１＾ＤＰＨ１  ・・・（２１）
ＤＳ４１＝ＤＳ１１＾ＤＳ２１＾ＤＳ３１＾ＤＰＨ１  ・・・（２２）
ＤＳ１２＝ＤＳ２２＾ＤＳ３２＾ＤＳ４２＾ＤＰＨ２  ・・・（２３）
ＤＳ２２＝ＤＳ１２＾ＤＳ３２＾ＤＳ４２＾ＤＰＨ２  ・・・（２４）
ＤＳ３２＝ＤＳ１２＾ＤＳ２２＾ＤＳ４２＾ＤＰＨ２  ・・・（２５）
ＤＳ４２＝ＤＳ１２＾ＤＳ２２＾ＤＳ３２＾ＤＰＨ２  ・・・（２６）
ＤＳ１３＝ＤＳ２３＾ＤＳ３３＾ＤＳ４３＾ＤＰＨ３  ・・・（２７）
ＤＳ２３＝ＤＳ１３＾ＤＳ３３＾ＤＳ４３＾ＤＰＨ３  ・・・（２８）
ＤＳ３３＝ＤＳ１３＾ＤＳ２３＾ＤＳ４３＾ＤＰＨ３  ・・・（２９）
ＤＳ４３＝ＤＳ１３＾ＤＳ２３＾ＤＳ３３＾ＤＰＨ３  ・・・（３０）
ＤＳ１０＝ＤＳ２１＾ＤＳ３２＾ＤＳ４３＾ＤＰＶ３  ・・・（３１）
ＤＳ２０＝ＤＳ１３＾ＤＳ３１＾ＤＳ４２＾ＤＰＶ２  ・・・（３２）
ＤＳ３０＝ＤＳ１２＾ＤＳ２３＾ＤＳ４１＾ＤＰＶ１  ・・・（３３）
ＤＳ４０＝ＤＳ１１＾ＤＳ２２＾ＤＳ３３＾ＤＰＶ０  ・・・（３４）
ＤＳ１１＝ＤＳ２２＾ＤＳ３３＾ＤＳ４０＾ＤＰＶ０  ・・・（３５）
ＤＳ２１＝ＤＳ１０＾ＤＳ３２＾ＤＳ４３＾ＤＰＶ３  ・・・（３６）
ＤＳ３１＝ＤＳ１３＾ＤＳ２０＾ＤＳ４２＾ＤＰＶ２  ・・・（３７）
ＤＳ４１＝ＤＳ１２＾ＤＳ２３＾ＤＳ３０＾ＤＰＶ１  ・・・（３８）
ＤＳ１２＝ＤＳ２３＾ＤＳ３０＾ＤＳ４１＾ＤＰＶ１  ・・・（３９）
ＤＳ２２＝ＤＳ１１＾ＤＳ３３＾ＤＳ４０＾ＤＰＶ０  ・・・（４０）
ＤＳ３２＝ＤＳ１０＾ＤＳ２１＾ＤＳ４３＾ＤＰＶ３  ・・・（４１）
ＤＳ４２＝ＤＳ１３＾ＤＳ２０＾ＤＳ３１＾ＤＰＶ２  ・・・（４２）
ＤＳ１３＝ＤＳ２０＾ＤＳ３１＾ＤＳ４２＾ＤＰＶ２  ・・・（４３）
ＤＳ２３＝ＤＳ１２＾ＤＳ３０＾ＤＳ４１＾ＤＰＶ１  ・・・（４４）
ＤＳ３３＝ＤＳ１１＾ＤＳ２２＾ＤＳ４０＾ＤＰＶ０  ・・・（４５）
ＤＳ４３＝ＤＳ１０＾ＤＳ２１＾ＤＳ３２＾ＤＰＶ３  ・・・（４６）
復号器ＤＥＣ２０は、波長変換装置ＴＰ１、ＴＰ２、ＴＰ３、ＴＰ４、ＴＰ５から受けたデータ信号ＤＳの１つあるいは２つに障害が発生したときにも、式（１５）−（４６）のうちの復号対象のデータ信号ＤＳに対応する式を計算することにより、障害が発生したデータ信号ＤＳを復号できる。なお、復号器ＤＥＣ２０は、例えば、光信号ＤＳ、ＤＰＨ、ＤＰＶのレベルをモニタすることにより、光信号ＤＳ、ＤＰＨ、ＤＰＶに障害が発生しているか否かを判定する。
【００６０】
例えば、波長変換装置ＴＰ１、ＴＰ２が故障し、波長変換装置ＴＰ１、ＴＰ２から受ける光信号ＤＳ、ＵＰＨに障害が発生した場合、復号器ＤＥＣ２０は、下記の手順によりデータ信号ＤＳ１０、ＤＳ１１、ＤＳ１２、ＤＳ１３、ＤＳ２２、ＤＳ２３を復号する。
【００６１】
先ず、式（３１）より、データ信号ＤＳ１０が復号される。また、式（４３）より、データ信号ＤＳ１３が復号される。そして、復号されたデータ信号ＤＳ１３および式（２８）より、データ信号ＤＳ２３が復号される。次に、復号されたデータ信号ＤＳ２３および式（３９）より、データ信号ＤＳ１２が復号される。次に、復号されたデータ信号ＤＳ１２および式（２４）より、データ信号ＤＳ２２が復号される。最後に、復号されたデータ信号ＤＳ２２および式（３５）より、データ信号ＤＳ１１が復号される。
【００６２】
このように、復号器ＤＥＣ２０は、波長変換装置ＴＰ１、ＴＰ２、ＴＰ３、ＴＰ４、ＴＰ５、ＴＰ６の２つが故障したときにも、データ信号ＤＳのデータを消失することなく、正常なデータ信号ＤＳをクライアント装置ＣＬ１、ＣＬ２、ＣＬ３、ＣＬ４に送信できる。すなわち、この実施形態では、波長多重される複数の波長のうちの２つの波長に対応する光信号ＤＳ、ＵＳ等に障害が発生したときにも、データを消失することなくデータ伝送を維持できる。このように、プロテクション部ＰＲＴ２０は、ＷＤＭ伝送システムＳＹＳに用いられるプロテクション装置として機能する。
【００６３】
以上、この実施形態では、ＷＤＭ伝送システムＳＹＳは、ｎ個（ｎは２以上の整数）のクライアント装置ＣＬに対して、（ｎ＋２）個の波長変換装置ＴＰを有している。さらに、ＷＤＭ伝送システムＳＹＳは、データ信号ＵＳを用いて２種類のパリティ信号ＵＰＨ、ＵＰＶを生成するパリティ生成器ＰＧ２０と、２種類のパリティ信号ＤＰＨ、ＤＰＶを用いてデータ信号ＤＳを復号する復号器ＤＥＣ２０とを有している。
【００６４】
これにより、この実施形態では、対向装置から伝送されたｎ個のデータ信号ＤＳの１つあるいは２つに障害が発生したときにも、正常なデータ信号ＤＳをクライアント装置ＣＬに伝送できる。さらに、この実施形態では、パリティ信号ＵＰＨ、ＵＰＶをデータ信号ＵＳと一緒に対向装置に伝送するため、対向装置の復号器でデータ信号ＵＳを復号できる。したがって、この実施形態では、例えば、複数の波長変換装置ＴＰの２つに障害が発生したときにも、データを消失することなくデータ伝送を維持できる。すなわち、この実施形態では、波長多重される複数の波長のうちの２つの波長に障害が発生したときにも、データを消失することなくデータ伝送を維持できる。
【００６５】
図４は、別の実施形態におけるＷＤＭ伝送システムＳＹＳの概要を示している。この実施形態のＷＤＭ伝送システムＳＹＳは、図３に示したプロテクション部ＰＲＴ２０の代わりにプロテクション部ＰＲＴ２２を有している。その他の構成は、図３で説明した実施形態と同じである。上述した実施形態で説明した要素と同一の要素については、同一の符号を付し、これ等については、詳細な説明を省略する。図のパリティ生成器ＰＧ２２内の破線の矢印は、データ信号ＵＳの流れの一部を示し、図の復号器ＤＥＣ２２内の破線の矢印は、データ信号ＤＳおよびパリティ信号ＤＰＨ、ＤＰＶの流れの一部を示している。なお、光信号ＵＳ、ＤＳ、ＵＰＨ、ＤＰＨ、ＵＰＶ、ＤＰＶの末尾の数字の意味は、図３で説明した実施形態と同じである。また、図中の白い星印、黒い星印、白い三角形、黒い三角形の意味は、図３で説明した実施形態と同じである。
【００６６】
プロテクション部ＰＲＴ２２は、図３に示したパリティ生成器ＰＧ２０および復号器ＤＥＣ２０の代わりに、パリティ生成器ＰＧ２２および復号器ＤＥＣ２２を有している。プロテクション部ＰＲＴ２２のその他の構成は、図３で説明したプロテクション部ＰＲＴ２０と同じである。
【００６７】
プロテクション部ＰＲＴ２２のパリティ生成器ＰＧ２２は、クライアント装置ＣＬから受けたデータ信号ＵＳを一時的に記憶するバッファ部ＢＦＵ２０を有している。バッファ部ＢＦＵ２０は、例えば、１フレーム分のデータ量に相当する記憶容量を有している。パリティ生成器ＰＧ２２のその他の構成は、パリティ生成器ＰＧ２０と同じである。また、パリティ生成器ＰＧ２２の動作は、バッファ部ＢＦＵ２０を用いる点を除いて、パリティ生成器ＰＧ２０と同じである。
【００６８】
例えば、パリティ生成器ＰＧ２２は、バッファ部ＢＦＵ２０に記憶したデータ信号ＵＳを用いてパリティ信号ＵＰＨ、ＵＰＶを生成する。これにより、この実施形態では、例えば、複数のクライアント装置ＣＬからそれぞれ送信されたデータ信号ＵＳの受信タイミングがずれた場合にも、正しい組み合わせのデータ信号ＵＳを用いてパリティ信号ＵＰＨ、ＵＰＶを生成できる。
【００６９】
プロテクション部ＰＲＴ２２の復号器ＤＥＣ２２は、波長変換装置ＴＰから受けた光信号ＤＳ、ＤＰＨ、ＤＰＶを一時的に記憶するバッファ部ＢＦＵ２２と、波長変換装置ＴＰから受けた光信号ＤＳ、ＤＰＨ、ＤＰＶのエラーを検出するエラー検出器ＥＲＤ２０とを有している。復号器ＤＥＣ２２のその他の構成は、復号器ＤＥＣ２０と同じである。また、復号器ＤＥＣ２２の動作は、バッファ部ＢＦＵ２２およびエラー検出器ＥＲＤ２０を用いる点を除いて、復号器ＤＥＣ２０と同じである。
【００７０】
エラー検出器ＥＲＤ２０は、例えば、各フレームに含まれるＣＲＣ符号等の誤り検出符号を用いて、バッファ部ＢＦＵ２２に記憶された光信号ＤＳ、ＤＰＨ、ＤＰＶのエラーを検出する。なお、バッファ部ＢＦＵ２２は、例えば、１フレーム分のデータ量に相当する記憶容量を有している。
【００７１】
このように、復号器ＤＥＣ２２は、バッファ部ＢＦＵ２２に記憶された光信号ＤＳ、ＤＰＨ、ＤＰＶのエラーをエラー検出器ＥＲＤ２０で検出するため、光信号ＤＳ、ＤＰＨ、ＤＰＶに障害が発生しているか否かを精度よく判定できる。そして、復号器ＤＥＣ２２は、波長変換装置ＴＰ１、ＴＰ２、ＴＰ３、ＴＰ４、ＴＰ５から受けたデータ信号ＤＳの１つあるいは２つにエラーが検出されたとき、式（１５）−（４６）のうちの復号対象のデータ信号ＤＳに対応する式を計算することにより、エラーが検出されたデータ信号ＤＳを復号する。
【００７２】
なお、復号器ＤＥＣ２２は、バッファ部ＢＦＵ２２に記憶された光信号ＤＳ、ＤＰＨ、ＤＰＶを用いて、エラーが検出されたデータ信号ＤＳを復号する。このため、この実施形態では、例えば、複数の波長変換装置ＴＰからそれぞれ送信された光信号ＤＳ、ＤＰＨ、ＤＰＶの受信タイミングがずれた場合にも、正しい組み合わせの光信号ＤＳ、ＤＰＨ、ＤＰＶを用いて、エラーが検出されたデータ信号ＤＳを復号できる。このように、プロテクション部ＰＲＴ２２は、ＷＤＭ伝送システムＳＹＳに用いられるプロテクション装置として機能する。
【００７３】
以上、この実施形態においても、上述した図３で説明した実施形態と同様の効果を得ることができる。さらに、この実施形態では、パリティ生成器ＰＧ２２は、バッファ部ＢＦＵ２０を有している。これにより、この実施形態では、誤った組み合わせのデータ信号ＵＳがパリティ生成器ＰＧ２２で使用されることを防止できる。また、復号器ＤＥＣ２２は、バッファ部ＢＦＵ２２を有している。これにより、この実施形態では、誤った組み合わせの光信号ＤＳ、ＤＰＨ、ＤＰＶが復号器ＤＥＣ２２で使用されることを防止できる。さらに、復号器ＤＥＣ２２は、エラー検出器ＥＲＤ２０を有している。これにより、この実施形態では、光信号ＤＳ、ＤＰＨ、ＤＰＶに障害が発生しているか否かを精度よく判定できる。
【００７４】
なお、上述した実施形態では、プロテクション部ＰＲＴ（ＰＲＴ１０、ＰＲＴ１２、ＰＲＴ２０、ＰＲＴ２２）と波長変換装置ＴＰとの間で光信号が伝送される例について述べた。本発明は、かかる実施形態に限定されるものではない。例えば、プロテクション部ＰＲＴと波長変換装置ＴＰとの間で伝送される信号は、光信号ＵＳ、ＤＳ、ＵＰＨ、ＤＰＨ（図３、図４の例では、光信号ＵＳ、ＤＳ、ＵＰＨ、ＤＰＨ、ＵＰＶ、ＤＰＶ）にそれぞれ対応する電気信号でもよい。
【００７５】
この場合、パリティ生成器ＰＧ（ＰＧ１０、ＰＧ１２、ＰＧ２０、ＰＧ２２）は、例えば、クライアント装置ＣＬから受けた光信号を電気信号に変換する機能を有する。また、復号器ＤＥＣ（ＤＥＣ１０、ＤＥＣ１２、ＤＥＣ２０、ＤＥＣ２２）は、例えば、波長変換装置ＴＰから受けた電気信号を光信号に変換する機能を有する。さらに、波長変換装置ＴＰは、例えば、パリティ生成器ＰＧから受けた複数の電気信号を波長の異なる複数の光信号に変換する機能と、波長分割多重部ＷＤＭＵから受けた光信号を電気信号に変換する機能とを有する。この場合にも、上述した実施形態と同様の効果を得ることができる。
【００７６】
上述した図２で説明した実施形態では、エラー検出器ＥＲＤ１０が復号器ＤＥＣ１２に設けられる例について述べた。本発明は、かかる実施形態に限定されるものではない。例えば、図２に示した復号器ＤＥＣ１２は、エラー検出器ＥＲＤ１０が省かれて構成されてもよい。この場合にも、エラー検出器ＥＲＤ１０により得られる効果を除いて、上述した図２で説明した実施形態と同様の効果を得ることができる。同様に、図４に示した復号器ＤＥＣ２２は、エラー検出器ＥＲＤ２０が省かれて構成されてもよい。この場合にも、エラー検出器ＥＲＤ２０により得られる効果を除いて、上述した図４で説明した実施形態と同様の効果を得ることができる。
【００７７】
上述した図２で説明した実施形態では、バッファ部ＢＦＵ１０、ＢＦＵ１２がパリティ生成器ＰＧ１２および復号器ＤＥＣ１２にそれぞれ設けられる例について述べた。本発明は、かかる実施形態に限定されるものではない。例えば、図２に示したパリティ生成器ＰＧ１２および復号器ＤＥＣ１２は、バッファ部ＢＦＵ１０、ＢＦＵ１２がそれぞれ省かれて構成されてもよい。この場合にも、バッファ部ＢＦＵ１０、ＢＦＵ１２により得られる効果を除いて、上述した図２で説明した実施形態と同様の効果を得ることができる。同様に、図４に示したパリティ生成器ＰＧ２２および復号器ＤＥＣ２２は、バッファ部ＢＦＵ２０、ＢＦＵ２２がそれぞれ省かれて構成されてもよい。この場合にも、バッファ部ＢＦＵ２０、ＢＦＵ２２により得られる効果を除いて、上述した図４で説明した実施形態と同様の効果を得ることができる。
【００７８】
以上、本発明について詳細に説明してきたが、上記の実施形態およびその変形例は発明の一例に過ぎず、本発明はこれに限定されるものではない。本発明を逸脱しない範囲で変形可能であることは明らかである。
【産業上の利用可能性】
【００７９】
本発明は、波長分割多重伝送システムおよびプロテクション装置に利用できる。
【符号の説明】
【００８０】
ＢＦＵ１０、ＢＦＵ１２、ＢＦＵ２０、ＢＦＵ２２‥バッファ部；ＣＬ１−ＣＬ４‥クライアント装置；ＤＥＣ１０、ＤＥＣ１２、ＤＥＣ２０、ＤＥＣ２２‥復号器；ＤＰＨ、ＤＰＶ、ＵＰＨ、ＵＰＶ‥パリティ信号；ＤＳ、ＵＳ‥データ信号；ＥＲＤ１０、ＥＲＤ２０‥エラー検出器；ＰＧ１０、ＰＧ１２、ＰＧ２０、ＰＧ２２‥パリティ生成器；ＰＲＴ１０、ＰＲＴ１２、ＰＲＴ２０、ＰＲＴ２２‥プロテクション部；ＳＹＳ‥ＷＤＭ伝送システム；ＴＰ１−ＴＰ６‥波長変換装置；ＷＤＭＵ‥波長分割多重部
【図１】
2012023678.tif 000003
【図２】
2012023678.tif 000004
【図３】
2012023678.tif 000005
【図４】
2012023678.tif 000006